(57)【特許請求の範囲】
【請求項１】
カメラボディ内の非使用位置とカメラボディから突出する使用位置とに移動可能なストロボ発光部を備えたストロボ内蔵カメラにおいて、
カメラボディに設けられた固定軸と、このボディ側固定軸と平行をなす、ストロボ発光部筺体に設けられた昇降軸；
上記ストロボ発光部筺体の両側面にそれぞれ位置し、上記固定軸と昇降軸にそれぞれ一端部と他端部が枢着された一対の第一レバー；
上記ストロボ発光部筺体の一側面と他側面に位置し、一対の第一レバー上にそれぞれ枢着された一対のクランク状第二レバー；
この一対のクランク状第二レバーの一端部とストロボ発光部筺体の側面との間にそれぞれ設けられた、該クランク状第二レバーが第一レバー上で揺動するとき、ストロボ発光部筺体を上記昇降軸を中心に回動させる連動機構；
上記第一レバーが上記固定軸を中心に回動するとき、上記一対のクランク状第二レバーの一方の回動位置を制御する、該一方のクランク状第二レバーの他端部とカメラボディとの間に枢着された第三レバー；及び
上記第一レバーが上記固定軸を中心に回動するとき、上記一対のクランク状第二レバーの他方の回動位置を制御する、該他方のクランク状第二レバーの他端部とカメラボディとの間に設けたカム機構；
を備えたことを特徴とするストロボ内蔵カメラ。
【請求項２】
請求項１記載のストロボ内蔵カメラにおいて、上記カム機構は、上記他方のクランク状第二レバーの上記他端部に設けたフォロアピンと、このフォロアピンを係合させるカム溝を備えたカメラボディに固定したカム板とから構成されているストロボ内蔵カメラ。
【請求項３】
請求項２記載のストロボ内蔵カメラにおいて、カム板は、ストロボ発光部筺体の両側面のうち、カメラボディの内側に位置する側面側に設けられ、カメラボディの強度部材を構成しているストロボ内蔵カメラ。
【請求項４】
請求項１ないし３のいずれか１項記載のストロボ内蔵カメラにおいて、さらに収納位置と撮影位置とに移動可能な撮影レンズ鏡筒を備え、上記一対の第一レバーの一方は、この撮影レンズ鏡筒の収納位置と撮影位置との間の移動力により上記固定軸を中心に回動するストロボ内蔵カメラ。
【請求項５】
請求項１ないし４のいずれか１項記載のストロボ内蔵カメラにおいて、上記一対の第一レバーは、相互に結合されているストロボ内蔵カメラ。
【請求項６】
請求項１記載のストロボ内蔵カメラにおいて、上記連動機構は、ストロボ発光部筺体の側面に突設したピンと、このピンが相対摺動自在に嵌合する、クランク状第二レバーの上記一端部に形成した長孔とから構成されているストロボ内蔵カメラ。
【発明の詳細な説明】
【０００１】
【技術分野】
本発明は、カメラ内部の非使用位置と外部に露出した使用位置とに移動可能なストロボを内蔵したカメラに関する。
【０００２】
【従来技術及びその問題点】
カメラの内蔵ストロボには、デザインやカメラ構成上の理由から、非使用時はカメラボディ内に収納されており、使用時に外部に露出されるタイプがある。こうした収納式のストロボには、例えば、外部からの操作で収納ロックを解除するとばね力によってストロボが使用位置にポップアップして発光可能状態となるものがある。このようにストロボを可動に支持するには、ストロボ本体に回動軸を設けてこれをカメラボディに軸支させ、この回動軸を中心としてストロボ本体を回動させることでポップアップ動作を行わせる構成がある。しかしストロボ本体に回動軸を設けると、ポップアップ時のストロボの突出量がストロボ本体分の高さに限定されてしまう。ストロボの高さが十分でないと、ストロボ光による赤目現象が起きたり、ズームレンズがズーミングした際にストロボ光がレンズ鏡筒にけられたりする。そのため、リンク機構を介してストロボ本体をカメラボディに支持させ、これによりストロボ本体の使用位置を高くさせる場合が多い。
この種のリンク機構は、所定数の固定軸をカメラボディ上（内部）に設ける必要があり、部品点数が多くなったり、設計上の自由度が制約される。また、ポップアップ時には、ストロボ発光面が所定の使用高さ及び使用姿勢に確実に保持されなければならないが、リンク機構は、二点以上の軸が複合的な動きをするため強度的には不利である。
【０００３】
【発明の目的】
本発明は、コンパクトで部品点数が少なく、かつ強度に優れる支持構造により、ストロボをカメラ内部の非使用位置と外部に露出した使用位置とに移動可能に支持するストロボ内蔵カメラを得ることを目的とする。
【０００４】
【発明の概要】
本発明は、カメラ内蔵の可動ストロボの支持手段としてのリンク機構の利点を生かしつつ、そのコンパクト化及び構成の簡略化を図るものであって、カメラボディ内の非使用位置とカメラボディから突出する使用位置とに移動可能なストロボ発光部を備えたストロボ内蔵カメラにおいて、カメラボディに設けられた固定軸と、このボディ側固定軸と平行をなす、ストロボ発光部筺体に設けられた昇降軸；上記ストロボ発光部筺体の両側面にそれぞれ位置し、上記固定軸と昇降軸にそれぞれ一端部と他端部が枢着された一対の第一レバー；上記ストロボ発光部筺体の一側面と他側面に位置し、一対の第一レバー上にそれぞれ枢着された一対のクランク状第二レバー；この一対のクランク状第二レバーの一端部とストロボ発光部筺体の側面との間にそれぞれ設けられた、該クランク状第二レバーが第一レバー上で揺動するとき、ストロボ発光部筺体を上記昇降軸を中心に回動させる連動機構；上記第一レバーが上記固定軸を中心に回動するとき、上記一対のクランク状第二レバーの一方の回動位置を制御する、該一方のクランク状第二レバーの他端部とカメラボディとの間に枢着された第三レバー；及び、上記第一レバーが上記固定軸を中心に回動するとき、上記一対のクランク状第二レバーの他方の回動位置を制御する、該他方のクランク状第二レバーの他端部とカメラボディとの間に設けたカム機構；を備えたストロボ内蔵カメラであることを特徴とする。ストロボ発光部筺体の一側の支持手段にカム機構を取り入れることによって、部品点数の減少、構造の簡略化を図ることができる。なお、ストロボ発光部筺体の両側にカム機構を設けると、両側のカム位置を合わせる調整工程が必要であるが、本発明の構成ではカム機構を設けるのはストロボ発光部筺体の一側のみで、調整工程を要さないので組立が容易である。
【０００５】
上記のカム機構は、上記他方のクランク状第二レバーの上記他端部に設けたフォロアピンと、このフォロアピンを係合させるカム溝を備えたカメラボディに固定したカム板とから構成することができる。このカム板はリンク機構の固定節を構成する強度部材としての役割を有する。カム板は、ストロボ発光部筺体の両側のうち、カメラボディの内側に位置する側面側に設けることが望ましい。カム板をカメラボディの強度部材として構成する場合、該内側位置の方が強度的に有利である。
【０００６】
収納位置と撮影位置とに移動可能な撮影レンズ鏡筒を備えるカメラの場合、ストロボ発光部の駆動力は、この撮影レンズ鏡筒の移動力から得ることが望ましい。例えば、上記一対の第一レバーの一方を、この撮影レンズ鏡筒の収納位置と撮影位置との間の移動力により上記固定軸を中心に回動させることで構成できる。また、上記一対の第一レバーは、一体に動くように相互に結合されていることが好ましい。
【０００７】
上記連動機構は、ストロボ発光部筐体の側面に突設したピンと、このピンが相対摺動自在に嵌合する、クランク状第二レバーの上記一端部に形成した長孔とから構成することができる。この関係は逆であってもよい。つまり、長孔をストロボ発光部筐体の側面に形成し、ピンをクランク状第二レバーの端部側に突設させてもよい。
【０００８】
【発明の実施の形態】
以下、図面に基づいて本発明を説明する。図１から図４は、本発明を適用したストロボ内蔵カメラの一実施形態を示している。このカメラは、カメラボディ１１の正面中央に、ズームレンズ鏡筒２１を有している。ズームレンズ鏡筒２１は、第１、第２レンズ鏡筒２２、２３からなり、光軸方向後方の収納位置と前方の撮影可能位置（ズーム範囲）との間を移動可能であり、収納位置ではカメラボディ１１内に収納される沈胴式となっている。従って、ズームレンズ鏡筒２１の光軸方向の駆動力を利用することができる。ズームレンズ鏡筒２１は、カメラボディ１１内部に設けたズームモータによって該光軸方向に駆動される。カメラボディ１１は正面に、収納されたズームレンズ鏡筒２１を保護する固定カバー１３、サブカバー１４、スライドカバー１５を備えている。固定カバー１３はカメラボディ１１に固定されていて、スライドカバー１５は、スライドレール１６に沿ってカメラボディ１１の長手方向に進退可能に支持されている。またサブカバー１４は、スライドカバー１５に連動し、スライドカバー１５が固定カバー１３に当接した閉鎖状態では固定カバー１３とスライドカバー１５との間に形成される縦長長方形の開口を閉鎖し（図１参照）、スライドカバー１５が固定カバー１３から離反した開放状態ではスライドカバー１５と同方向に移動し、かつスライドカバー１５の裏面まで完全に移動してズームレンズ鏡筒２１を露出させる（図２参照）。
【０００９】
このカメラには、スライドカバー１５が閉位置から全開位置に達する直前、及び全開位置から閉位置に若干移動させたときに作動するメインスイッチが設けられている。このメインスイッチは、スライドカバー１５が閉位置から全開位置に達する直前にオンして、スライドカバー１５が全開位置から閉位置に若干移動されるとオフするように構成されている。メインスイッチがオンになると、ズームモータが繰出方向に起動してレンズ鏡筒２２、２３が撮影可能位置まで駆動される。一方、メインスイッチがオフになると、ズームモータが収納方向に起動してレンズ鏡筒２２、２３が収納位置まで引き込まれる。なお、ズームレンズ鏡筒２１は連続的に焦点距離を変化させることが可能であるから、その撮影可能位置とは、メインスイッチのオンによりレンズ鏡筒２２、２３が収納位置から光軸前方へ最初に移動される位置（ワイド位置）から、レンズ鏡筒２２、２３が最大に繰り出された位置（テレ位置）までのズーム範囲となる。
【００１０】
カメラボディ１１の正面左側には円筒状のグリップ部１２が形成されていて、このグリップ部１２の上端面に、大型のモードダイヤル１７と、モードダイヤル１７の軸部にレリーズボタン１９が設けられている。モードダイヤル１７はクリックストップタイプの回転ダイヤルであって、そのクリックストップ位置によって、自動露出モード、自動露出及び赤目軽減用プリ発光モード、スローシャッタモード、バルブ及び強制ストロボ発光モード、バルブモード、ストロボ強制発光モード、ストロボ発光停止モードを択一的に選択できる。
【００１１】
カメラボディ１１の上面にはポップアップストロボ２５が設けられる。このポップアップストロボ２５は、ストロボ発光部９０とこれを可動に支持するギヤリンク機構とからなっている。このポップアップストロボ２５は、上記ズームレンズ鏡筒２１の光軸方向の移動力を利用して使用位置へのポップアップ動作及び非使用位置への収納動作を行う。以下、その詳細を説明する。
【００１２】
図５から図９は、カメラボディ１１内部におけるポップアップストロボ２５を示している。ストロボ発光部９０は、内部に不図示のキセノン管と反射板を配した公知の発光器であり、前面にストロボレンズ９１を配し、このストロボレンズ９１の両側に対をなす側板９３ａ及び側板９３ｂが配されている。側板９３ａ、側板９３ｂには、キセノン管の両端に接続される電極を内部に配置した一対の張り出し部９４が形成されている。また上面は平板状の天板９２となっている。
【００１３】
カメラボディ１１には、このストロボ発光部９０を収納可能なストロボ収納部４１が形成されている。ストロボ収納部４１は、カメラボディ１１内の前壁１１ａに隣接して固定された箱状のストロボ支持体４２と、その後方の円筒状隔壁４３とに囲繞される空間であり、その上方は外部に臨む開口部４１ａとなっている。
【００１４】
ストロボ発光部９０の両側面のうち、カメラボディ１１の外側面側に位置する側板９３ａは、ストロボレンズ９１の直下の位置に昇降軸５１が突設され、該昇降軸５１に第一レバー５０の一端部が枢着されている。ストロボ支持体４２の所定位置には、ストロボ発光部９０の昇降軸５１と平行な固定軸５２が設けられ、、該固定軸５２に第一レバー５０の他端部が枢着されている。第一レバー５０は、固定軸５２を中心に、図６に示す下降回動位置と図８に示す上昇回動位置の間を回動することができ、該回動によって昇降軸５１に枢着された端部の位置が弧状の軌跡上を推移する。側板９３ａの昇降軸５１の近傍には被支持ピン９５が突設されている。被支持ピン９５は、クランク状をなす第二レバー４５の一端部に穿設した支持長孔４６に相対摺動自在に嵌っている。第二レバー４５は、屈曲部分４５ｂが上記昇降軸５１の近傍において第一レバー５０に枢着されていて、第一レバー５０の回動に連動して回動される。この第二レバー４５の自由端部４５ａは、第三レバー４７の自由端部４７ａと相対回動可能に連結されている。第三レバー４７の他端部は、ストロボ支持体４２に突設した固定軸４８に枢着されている。従って、第三レバー４７によって、第一レバー５０を回動させたときの第二レバー４５の回動位置が制御される。
【００１５】
以上の第一レバー５０、第二レバー４５及び第三レバー４７から、ストロボ発光部９０の一側を支持するリンク機構２０が構成されている。このリンク機構２０は、固定軸５２、４７ｂを有し、第一レバー５０（原動節）を下降回動位置（図６）と上昇回動位置（図８）の間で揺動させると、ストロボ発光部９０を上下動させる。さらに、第三レバー４７によって回動位置を制御された第二レバー４５がこれに従動し、支持長孔４６内で被支持ピン９５を相対摺動させながら移動するので、上下動に加えてストロボ発光部９０に昇降軸５１を中心とする一定の回動を与えて、ストロボレンズ９１の向きを変化させることができる。
【００１６】
一方、ストロボ発光部９０の両側面のうち、カメラボディ１１の内側に位置する側板９３ｂは、上記昇降軸５１と対称の位置に昇降軸３１が突設され、該昇降軸３１に第一レバー３０の一端部が枢着されている。この第一レバー３０の他端部は、上記固定軸５２と対称の位置でストロボ支持体４２の側面に突設された固定軸３２に枢着されている。この昇降軸３１と固定軸３２は平行である。ストロボ発光部９０の側板９３ｂはまた、上記被支持ピン９５と対をなす被支持ピン９６を備え、これをクランク状の第二レバー３５の端部に設けた支持長孔３６が相対摺動自在に支持している。第二レバー３５の屈曲部分３５ａは、上記昇降軸３１との枢着箇所の近傍で第一レバー３０に枢着されている。
【００１７】
この第一レバー３０と第二レバー３５に隣接して、カム板３７（図５においてハッチングで示す部材）が設置される。カム板３７の一部は、ストロボ発光部９０の側板９３ｂと略平行な面内に配置されており、該部分に円弧状のカム溝３８が形成されている（図７及び図９）。第二レバー３５の端部３５ｂにはフォロワピン３９が植設され、このカム溝３８に摺動可能に嵌っている。上記リンク機構２０と同様に、第一レバー３０が上昇回動位置と下降回動位置に回動すると、第二レバー３５がこれに連動する。このときフォロワピン３９がカム溝３８両端位置間を案内されて摺動し、第二レバー３５は回動位置が制御される。つまり、カム溝３８は上記第三レバー４７と同様の作用を有しており、カム板３７自体をリンク機構の固定節と考えることができる。よって側板９３ｂ側の支持機構を特にカムリンク機構１０と呼ぶ。このカムリンク機構１０は、上記リンク機構２０と同様に、第一レバー３０（原動節）を下降回動位置（図７）と上昇回動位置（図９）の間で揺動させると、ストロボ発光部９０を上下動させる。第一レバー３０に従動して、カム溝３８によって回動位置を制御された第二レバー３５が、支持長孔３６内で被支持ピン９６を相対摺動させながら移動するので、ストロボ発光部９０に昇降軸３１を中心とする一定の回動を与えて、ストロボレンズ９１の向きを変化させることができる。
【００１８】
第一レバー３０、５０は連結部５０ａ（図５にハッチングで示す）により接続されており、ストロボ発光部９０の両側を支持するカムリンク機構１０とリンク機構２０は一体に動作する。具体的には、第一レバー３０、５０が上昇回動位置にあるときには、ストロボ発光部９０は、ストロボレンズ９１をカメラ正面に向けた正立状態で、ストロボ収納部４１の開口部４１ａより上方に突出され（使用位置：図８及び図９）、第一レバー３０、５０が下降回動位置に移動されると該正立状態よりストロボレンズ９１を斜め下方に向けつつストロボ収納部４１内に引き込まれ、天板９２がカメラボディ１１の上面と略同一平面をなす位置（非使用位置：図６及び図７）に移動する。ストロボ発光部９０は第一レバー３０、５０を介してカメラボディ１１（ストロボ支持体４２）に軸支されているので、ストロボ発光部９０をカメラボディ１１に直接軸支させる場合よりもストロボ発光部９０の使用位置を高くすることができる。これにより、ズーミング時にレンズ鏡筒の先端によってストロボ光がけられる現象や、ストロボ発光による赤目現象等が防止できる。
【００１９】
カム板３７は、ストロボ発光部９０の両側面のうち、カメラボディ１１の内側に位置する側板９３ｂ側に設けられて、カメラボディ１１の前壁１１ａ、上飾板１１ｂ及び円筒状隔壁４３と固定されている。これにより、カム板３７はカメラボディ１１の強度部材を構成し、ストロボ発光部９０に対する支持強度が増す。なおカム板３７を側板９３ｂ側に設けるのは、カメラが落下した場合など不慮の衝撃が加わるときにカメラの外側の方から力を受けることが多いので、強度的に有利だからである。また、カメラが小型化されるほど、ストロボの発光部は撮影レンズ（光軸）に近くなるが、赤目防止等の観点から、発光部は可能な限り撮影レンズの光軸から離して位置されることが望ましい。従って一定の厚みのあるカム板３７及びその周辺部材をカメラボディ１１の内側位置に配置することで、ストロボ発光部９０が少しでも撮影光軸から離れて外側に位置するようにしている。加えて、複雑なリンク機構２０が外側位置にあった方が組み付け性が良いという利点も考慮されている。
【００２０】
上記カムリンク機構１０において、ストロボ支持体４２の固定軸３２には、第一トーションばね４０のコイル部が巻着されている。この第一トーションばね４０の一対のばね端部は、第一レバー３０の端部に設けたばね掛け部３３とストロボ支持体４２に設けたばね掛け部４４とに係合している。第一トーションばね４０は、自由状態では、ストロボ発光部９０を使用位置に保持させる上昇回動位置（図９）に第一レバー３０を付勢している。ストロボ発光部９０を非使用位置に移動させる下降回動位置（図７）に第一レバー３０が移動されると、第一トーションばね４０は一対のばね端部を接近させる方向に撓む。
【００２１】
このカムリンク機構１０は、ズームレンズ鏡筒２１の進退動を受けて動作される。第２レンズ鏡筒２３の円筒面にはピン嵌合孔２４が形成されている。カメラボディ１１内部には、この第２レンズ鏡筒２３に隣接して、ズームレンズ鏡筒２１の進退方向と略平行に直線移動可能に支持された鏡筒従動ピン５５が設けられていて、この鏡筒従動ピン５５に固設された径方向突起５６がピン嵌合孔２４に嵌っている。鏡筒従動ピン５５は、ズームレンズ鏡筒２１が収納位置にあるときはピン嵌合孔２４に規制されてカメラ後方の後退位置（図７）に位置し、ズームレンズ鏡筒２１が撮影可能位置に進出すると、従動してカメラ前方の進出位置（図９）へ移動する。この鏡筒従動ピン５５の径方向突起５６と第２レンズ鏡筒２３には、ピン保持ばね５７の両端が固定されている。ピン保持ばね５７は、鏡筒従動ピン５５が進出位置にあるときのがたつきをとるために設けられている。
【００２２】
鏡筒従動ピン５５は、ストロボ支持体４２方向へ突出する駆動腕５８を有している。一方、ストロボ支持体４２の一側面下部には、平面方向に回転操作腕部６１と回転位置決め腕部６２を延設した回動板６０が回動可能に支持されている。回転操作腕部６１は、鏡筒従動ピン５５の進退動によって上記駆動腕５８に係脱される位置にある。
【００２３】
この回動板６０と同軸で回動可能に第一ギヤ６５が設けられている。第一ギヤ６５には、ばね掛け突起部６６及び係合突起６８が形成されている。この第一ギヤ６５のばね掛け突起部６６と、上記回動板６０の回転位置決め腕部６２とに、第二トーションばね６７のばね端部がそれぞれ係合されている。この第二トーションばね６７は自由状態において、回転位置決め腕部６２と係合突起６８が係合する方向に回動板６０と第一ギヤ６５を付勢して、両者を弾性結合させている。回動板６０と第一ギヤ６５は、第二トーションばね６７を撓ませることで回転位置決め腕部６２と係合突起６８を離間させる方向へ相対回動が可能である。
【００２４】
第一レバー３０の、固定軸３２との枢着箇所の周縁には第二ギヤ７０が形成されており、該第二ギヤ７０が上記第一ギヤ６５と噛み合っている。前述のように、第一レバー３０は、第一トーションばね４０によって、ストロボ発光部９０をポップアップさせる方向に回動付勢されている。よって第二ギヤ７０に噛み合う第一ギヤ６５、及び第一ギヤ６５に回動板６０も同ポップアップ方向（図７及び図９の反時計方向）に回転付勢される。上記第二トーションばね６７が回動板６０と第一ギヤ６５を弾性結合させる力は、この第一トーションばね４０による第一ギヤ６５へのポップアップ方向の回転付勢力よりも強く設定されている。
【００２５】
鏡筒従動ピン５５の進出位置から後退位置への移動量は、ストロボ発光部９０が使用位置から非使用位置へ移動するのに必要な量よりも若干大きく設定されている。つまり、ストロボ発光部９０が非使用位置に至ったとき、鏡筒従動ピン５５は多めに後退し、その結果、回動板６０がギヤレバー第一ギヤ６５に対して若干相対回転されて、第二トーションばね６７が自由状態より撓む。これにより、後退位置にある鏡筒従動ピン５５のがたつきを除去することができる。
【００２６】
上記構成のポップアップストロボ２５は、次のように動作する。
図６及び図７は、スライドカバー１５が閉鎖状態（図１）であるとき、つまりズームレンズ鏡筒２１が収納位置にあるときのポップアップストロボ２５を示している。ズームレンズ鏡筒２１が収納位置にあるため、鏡筒従動ピン５５は後退した位置にあり、駆動腕５８が回動板６０の回転操作腕部６１に係合してこれをカメラ後方側に押し込んでいる。回動板６０と弾性結合された第一ギヤ６５は一体に回動され、第二ギヤ７０を介して第一レバー３０を下降回動位置に係止させている。そのため第一トーションばね４０が撓み、この撓みを解放しようとする力により、第一レバー３０には図７中における時計方向への回動付勢力が働いている。第一レバー３０が下降回動位置に係止されているため、カムリンク機構１０及びリンク機構２０により、ストロボ発光部９０が非使用位置に保持される。このとき、第二レバー３５のフォロワピン３９は、カム溝３８の下端に当接している。
【００２７】
この状態から、スライドカバー１５を図１の閉位置から図２の開位置にスライドさせると、メインスイッチがオンになり、ズームモータが起動してズームレンズ鏡筒２１が撮影可能位置（ワイド位置）へ繰り出される。ズームレンズ鏡筒２１（第２レンズ鏡筒２３）が光軸前方に進出すると、鏡筒従動ピン５５に対するピン嵌合孔２４の規制が解除され、鏡筒従動ピン５５がカメラ前方に移動可能になる。すると、回転操作腕部６１に対する駆動腕５８の規制が解除されるので、回動板６０及び第一ギヤ６５が図７中の反時計方向に回動可能になり、第二ギヤ７０を第一ギヤ６５に噛み合わせた第一レバー３０の回動が許される。そこで第一トーションばね４０の撓みが解放して第一レバー３０が上方回動位置に回動する。第一ギヤ６５及び回動板６０は、これに従動して図７中の反時計方向に回動する。鏡筒従動ピン５５は、ズームレンズ鏡筒２１に従動して進出位置に移動する。該進出位置では、ピン保持ばね５７が鏡筒従動ピン５５をがたなく保持する。
【００２８】
第一レバー３０が上方回動位置に回動すると、ストロボ発光部９０の昇降軸３１の位置がカメラ上部方向に弧状に推移する。同時に第二レバー３５が、この第一レバー３０の押し上げ動作に伴って被支持ピン９５を支持長孔３６内で摺動させつつ、斜め上方に推移する。このときフォロワピン３９がカム溝３８の上端まで摺動し、第二レバー３５の移動軌跡を一定に制御すると共に、フォロワピン３９がカム溝３８の上端部に当接、停止することで、ストロボの発光面（ストロボレンズ９１）がカメラボディ１１から一定量突出され、かつズームレンズ鏡筒２１の光軸と直交する面をなす使用高さ及び使用姿勢にストロボ発光部９０が規定される。一方、側板９３ａ側のリンク機構２０もこれに従動し、第一レバー５０が上昇回動位置に回動される。これを受けて、第三レバー４７に回動位置を制御されるストロボ支持体４２が斜め上方に移動される。これによりストロボ発光部９０は、フォロワピン３９がカム溝３８の上端部に当接する位置、すなわち、ストロボレンズ９１をカメラの正面に向けて正立した使用位置に押し上げられる。
【００２９】
ポップアップ動作は、第一トーションばね４０の復元力（撓み解放力）を用いて行われるものであり、メインスイッチが入り、ズームレンズ鏡筒２１（第２レンズ鏡筒２３）の進出に伴って鏡筒従動ピン５５がカメラ前方に移動するとほぼ同時にストロボ発光部９０が使用位置に移動する。撮影者は、グリップ部１２の上端面に設けたモードダイヤル１７を操作して発光モードを選択して撮影を行う。
【００３０】
図８及び図９は、スライドカバー１５が全開状態（図２）であるとき、つまりズームレンズ鏡筒２１が撮影可能位置に移動したときのポップアップストロボを示している。この状態から、スライドカバー１５を全開位置から閉位置方向に若干スライドさせると、メインスイッチがオフになり、ズームモータが収納方向に起動してズームレンズ鏡筒２１が撮影可能位置から収納位置に移動される。すると、径方向突起５６がカメラ後方へ押し込まれ、鏡筒従動ピン５５はズームレンズ鏡筒２１に連動して後方移動位置（図７）にスライドされる。鏡筒従動ピン５５が後退すると、その駆動腕５８が回動板６０の回転操作腕部６１に係合し、第一トーションばね４０に抗して回動板６０を図９中の時計方向に回転させる。これにより、回動板６０及び第一ギヤ６５が時計方向に回動する。第一ギヤ６５の回動を受けて、第一ギヤ６５に第二ギヤ７０を噛み合わせた第一レバー３０が第一トーションばね４０を撓ませつつ、固定軸３２を中心として反時計方向に回動する。第一トーションばね４０の付勢力より第二トーションばね６７の弾性保持力の方が強いため、この段階では第二トーションばね６７は撓まず、回動板６０と第一ギヤ６５は一体に回動されている。
【００３１】
このときカムリンク機構１０とリンク機構２０は、上記ポップアップ時とは逆の動作を行う。第一レバー３０が下降回動位置に移動すると、第二レバー３５は、フォロワピン３９がカム溝３８の下端に接するまで回動位置を制御されつつ斜め下方に移動する。同時に、連結部５０ａを介して第一レバー５０も下降回動位置に移動されているので、第二レバー４５が第三レバー４７を下方に押し込んで、第二レバー４５と第三レバー４７が連結箇所で相対回動し、さらに第三レバー４７が固定軸４８を中心に図８中の時計方向に回動して第二レバー４５の回動位置を制御しつつ、第二レバー４５が斜め下方に移動される。これによりストロボ発光部９０は、カムリンク機構１０とリンク機構２０により、天板９２をカメラボディ１１の上面と略同一平面とした非使用位置に引き込まれる。この非使用位置では、第一トーションばね４０が撓んでいてポップアップ動作のチャージが完了している。
【００３２】
また、ズームレンズ鏡筒２１は、ストロボ発光部９０が非使用位置に至ってから若干多めに後退して収納動作が完了されるので、回動板６０は、第一ギヤ６５の係止位置よりも多めに、回転位置決め腕部６２が係合突起６８から離間する方向へ相対回動される。すると第二トーションばね６７が撓み、鏡筒従動ピン５５ががたつくことなく後退位置に保持される。以下、ズームレンズ鏡筒２１の進退動によって同様の動作が繰り返される。
【００３３】
収納動作が問題なく行われるときは、ストロボ発光部９０が非使用位置に移動された後に第二トーションばね６７が撓んで鏡筒従動ピン５５が保持される。一方、異物が挟まったり、故意に押えるなどの無理操作があってストロボ発光部９０の収納動作が妨げられた場合には、該収納妨害動作が起こった時点で第二トーションばね６７が撓んで回動板６０と第一ギヤ６５の相対回動を許す。具体的には、ズームレンズ鏡筒２１の後退動作に従動して回動板６０は回動するが、ギヤリンク機構を構成する第一ギヤ６５は回動されない。つまり、第二トーションばね６７の撓みを逃げとして、ギヤの破損を防ぐことができる。
【００３４】
以上のように、ストロボ発光部９０の一側を、カム板３７を有するカムリンク機構１０で支持するので、ストロボ支持体４２の両側面のうちカメラボディ１１の内側に位置する面には、第三レバー４７及びその固定軸４８が不要である。つまり使用位置においてストロボ発光部９０に所定の高さを与えるストロボ支持手段を、部品点数が少なくコンパクトに構成できる。また、フォロワピン３９がカム溝３８の上端に当接、停止する位置がストロボ使用位置であるから、発光面（ストロボレンズ９１）を所定の使用高さ及び使用姿勢にずれなく位置させることができる。
【００３５】
ストロボ発光部９０の一側をカムリンク機構１０で支持し、他側をリンク機構２０で支持するのは以下の理由による。ストロボ発光部９０の両側をカムリンク機構で支持しようとすると、その両側のカムリンク機構で各フォロワピンと各カム溝の摺動位置にずれがあった場合に、フォロワピンのいずれか一方がカム溝の端部まで移動できず、ストロボ発光部９０を正確に駆動できない。特に使用位置において、ストロボレンズ９１が傾いたり、所定の高さ位置が得られないという問題が起きる。そのため、両側のフォロワピンが各カム溝の端部に当接停止する状態での位置調整を、一対のカム板それぞれで行わなければならず、その調整工程に手間がかかり組立性が悪くなってしまう。よって、ストロボ発光部９０の一側をカムリンク機構１０で、他側をリンク機構２０で支持することが望ましい。この場合、上述のようにカム板３７を強度部材とするために、カムリンク機構１０は、ストロボ発光部９０の両側面のうち、カメラボディ１１の内側に位置する側板９３ｂ側を支持する。
【００３６】
また、ポップアップストロボ２５は、ズームレンズ鏡筒２１の移動力を利用して駆動されるので、簡単な機構で、メインスイッチのオンオフに応じて自動的に使用位置と非使用位置とに移動させることができる。つまり操作に手間がかからず、ストロボを出し忘れるおそれもない。
【００３７】
本発明は以上の実施形態に限定されるものではない。例えば、対をなす第一レバー３０、５０は、連結部５０ａで連結されない別体であっても、ストロボ発光部９０の動作を介して一方を他方に従動させることが可能である。また、先の説明では、ストロボ発光部９０の側板９３ａ、９３ｂに一対の被支持ピン９５、９６を突設し、これを一対のクランク状の第二レバー３５、４５の支持長孔３６、４６に相対摺動自在に嵌合するものとしたが、逆に第二レバー３５、４５に同様のピン部材を突設し、ストロボ発光部９０の側板９３ａ、９３ｂに、該ピン部材が相対摺動自在に嵌合する長孔を形成することもできる。
【００３８】
また、上記実施形態では撮影レンズをズームレンズ鏡筒２１としたが、固定焦点距離のレンズでも、電源のオンオフで撮影レンズが収納位置と撮影可能位置との間を移動するカメラであれば、本発明を適用できるし、スライドカバーの開閉によらず電源をオンオフするカメラにも本発明は適用できる。
【００３９】
【発明の効果】
以上のように本発明によれば、コンパクトで部品点数が少なく、かつ強度に優れる支持構造により、ストロボをカメラ内部の非使用位置と外部に露出した使用位置とに移動可能に支持するストロボ内蔵カメラを得ることができる。
【図面の簡単な説明】
【図１】本発明によるストロボ内蔵カメラの、撮影レンズ収納状態の正面図である。
【図２】同カメラの撮影可能状態の正面図である。
【図３】同カメラの撮影可能状態の平面図である。
【図４】同カメラの撮影可能状態の側面図である。
【図５】ポップアップストロボの、使用状態における正面図である。
【図６】図５の矢印VI方向から見た、ストロボ非使用（収納）状態におけるストロボ発光部及びリンク機構の側面図である。
【図７】図５の矢印VII 方向から見た、ストロボ非使用（収納）状態におけるストロボ発光部及びカムリンク機構の側面図である。
【図８】図６のストロボ発光部及びリンク機構がストロボ使用状態に移行した状態を示す側面図である。
【図９】図７のストロボ発光部及びカムリンク機構がストロボ使用状態に移行した状態を示す側面図である。
【符号の説明】
１０  カムリンク機構
１１  カメラボディ
１５  スライドカバー
２０  リンク機構
２１  ズームレンズ鏡筒
２５  ポップアップストロボ
３０  ５０  第一レバー
３５  ４５  第二レバー
３６  ４６  支持長孔
３７  カム板
３８  カム溝
３９  フォロワピン
４０  第一トーションばね
４２  ストロボ支持体
４７  第三レバー
５０ａ  連結部
５５  鏡筒従動ピン
６０  回動板
６５  第一ギヤ
６７  第二トーションばね
７０  第二ギヤ
９０  ストロボブロック
９３ａ  ９３ｂ  側板
【図１】
0003728044.tif 000002
【図２】
0003728044.tif 000003
【図３】
0003728044.tif 000004
【図４】
0003728044.tif 000005
【図５】
0003728044.tif 000006
【図６】
0003728044.tif 000007
【図７】
0003728044.tif 000008
【図８】
0003728044.tif 000009
【図９】
0003728044.tif 000010